(57)【要約】【課題】外刃が肌に追従して円滑に移動できると共に、どのような髭も確実に捕らえることができ、且つ、深剃りとなって皮膚を傷めてしまうことが防止できるロータリー式電気かみそりを提供する。【解決手段】本発明に係るロータリー式電気かみそり１は、複数の髭進入口２７が形成された環状髭剃り面２２Ａ、２２Ｂを上面２２ａに有する外刃２２と、前記外刃２２の下面２２ｂに前記環状髭剃り面２２Ａ、２２Ｂの下方から摺接しつつ回転する小刃４２Ａを持つ内刃４２とを有するロータリー式電気かみそりであって、前記外刃２２は、前記環状髭剃り面２２Ａ、２２Ｂの所定の周方向領域において、周方向間隔を変えて前記髭進入口２７が並設されている。【選択図】図５
2016059632.tif 000002
【特許請求の範囲】
【請求項１】
複数の髭進入口が形成された環状髭剃り面を上面に有する外刃と、前記外刃の下面に前記環状髭剃り面の下方から摺接しつつ回転する小刃を持つ内刃とを有するロータリー式電気かみそりであって、
前記外刃は、前記環状髭剃り面の所定の周方向領域において、周方向間隔を変えて前記髭進入口が並設されていること
を特徴とするロータリー式電気かみそり。
【請求項２】
複数の髭進入口が形成された環状髭剃り面を上面に有する外刃と、前記外刃の下面に前記環状髭剃り面の下方から摺接しつつ回転する小刃を持つ内刃とを有するロータリー式電気かみそりであって、
前記外刃は、前記環状髭剃り面の所定の周方向領域において、周方向間隔が一定で且つ開口密度を変えて前記髭進入口が並設されていること
を特徴とするロータリー式電気かみそり。
【請求項３】
前記複数の髭進入口のうちの少なくとも一部は、長孔状の形状に形成されていること
を特徴とする請求項１または請求項２記載のロータリー式電気かみそり。
【請求項４】
前記長孔状の髭進入口は、長辺部の形状が、直線状、または、全体もしくは一部が曲線状に形成されていること
を特徴とする請求項３記載のロータリー式電気かみそり。
【請求項５】
前記外刃は、前記環状髭剃り面の所定の周方向領域において、前記環状髭剃り面の径方向両端まで開口する前記髭進入口と、両端まで開口しない前記髭進入口とが周方向に交互に配設されていること
を特徴とする請求項１〜４のいずれか一項に記載のロータリー式電気かみそり。
【発明の詳細な説明】
【技術分野】
【０００１】
本発明は、ロータリー式電気かみそりに関する。
【背景技術】
【０００２】
例えば、複数の髭進入口が形成された環状髭剃り面を上面に有する外刃と、外刃の下面に環状髭剃り面の下方から摺接しつつ回転する小刃を持つ内刃とを備えて、髭進入口に進入した髭を切断するロータリー式電気かみそりが知られている（特許文献１参照）。
【先行技術文献】
【特許文献】
【０００３】
【特許文献１】特表２００６−５１０４３０号公報
【発明の概要】
【発明が解決しようとする課題】
【０００４】
従来より、ロータリー式電気かみそりにおいては、特に、（ａ）外刃が肌の細かい凹凸に追従しながら円滑に移動できること、（ｂ）使用者ごとに異なる髭の特性に対応して髭を確実に捕らえて剃り残しが防止できること、（ｃ）外刃を皮膚に強く押し付けた場合に深剃りとなって皮膚を傷めてしまうことが防止できること、が重要な課題となる。
【０００５】
例えば、特許文献１に示されるロータリー式電気かみそりのように、外刃髭剃り面の周方向の一部領域に隆線を設ける構成によれば、皮膚の接触圧を減らして皮膚を保護することができるが、その一方で、髭剃り性能が低下してしまう問題が生じ得る。このように、上記（ａ）〜（ｃ）の課題はそれぞれを単独で解決することは比較的容易であるものの、全ての課題を同時に解決することは相反する要素が含まれるため、非常に高度な技術が要求される。
【０００６】
本発明は、上記事情に鑑みてなされ、外刃が肌に追従して円滑に移動できると共に、どのような髭も確実に捕らえることができ、且つ、深剃りとなって皮膚を傷めてしまうことが防止できるロータリー式電気かみそりを提供することを目的とする。
【課題を解決するための手段】
【０００７】
一実施形態として、以下に開示するような解決手段により、前記課題を解決する。
【０００８】
開示のロータリー式電気かみそりは、複数の髭進入口が形成された環状髭剃り面を上面に有する外刃と、前記外刃の下面に前記環状髭剃り面の下方から摺接しつつ回転する小刃を持つ内刃とを有するロータリー式電気かみそりであって、前記外刃は、前記環状髭剃り面の所定の周方向領域において、周方向間隔を変えて前記髭進入口が並設されていることを特徴とする。
【発明の効果】
【０００９】
開示のロータリー式電気かみそりによれば、外刃が肌に追従して円滑に移動できると共に、どのような髭も確実に捕らえることができ、且つ、深剃りとなって皮膚を傷めてしまうことが防止できる。
【図面の簡単な説明】
【００１０】
【図１】本発明の実施形態に係るロータリー式電気かみそりの例を示す概略図（斜視図）である。
【図２】図1に示すロータリー式電気かみそりのヘッド部の例を示す概略図（分解斜視図）である。
【図３】図１に示すロータリー式電気かみそりの内刃の例を示す概略図（斜視図）である。
【図４】図１に示すロータリー式電気かみそりの内刃の小刃および外刃の一部を示す概略図である。
【図５】図１に示すロータリー式電気かみそりの外刃の第１実施例を示す概略図（平面図）である。
【図６】図５に示す外刃の断面図である。
【図７】図１に示すロータリー式電気かみそりの外刃の第２実施例を示す概略図（平面図）である。
【図８】図１に示すロータリー式電気かみそりの外刃の第３実施例を示す概略図（平面図）である。
【図９】図１に示すロータリー式電気かみそりの外刃の第４実施例を示す概略図（平面図）である。
【図１０】図１に示すロータリー式電気かみそりの外刃の第５実施例を示す概略図（平面図）である。
【発明を実施するための形態】
【００１１】
以下、図面を参照して、本発明の実施形態について詳しく説明する。図１は、本実施形態に係るロータリー式電気かみそり１の例を示す概略図（斜視図）である。また、図２は、ヘッド部３の例を示す概略図（分解斜視図）である。また、図３は、ロータリー式電気かみそり１の内刃４２の例を示す概略図（斜視図）であり、図４は、内刃４２（特に、小刃４２Ａ）および外刃２２の一部（断面）を示す概略図である。なお、実施形態を説明するための全図において、同一の機能を有する部材には同一の符号を付し、その繰り返しの説明は省略する場合がある。
【００１２】
本実施形態に係るロータリー式電気かみそり１は、図１、図２に示すように、複数の髭進入口２７が貫通形成された外刃２２と、当該外刃２２の下面に摺接しつつ回転する内刃４２とを有し、髭進入口２７に進入した髭を外刃２２と内刃４２とでカットするロータリー式電気かみそりである。なお、外刃２２と内刃４２とを備えて構成される刃ユニット６を三組有するロータリー式電気かみそりを例に挙げて説明するが、これに限定されるものではなく、一組あるいは他の複数組であってもよい。
【００１３】
図１において、符号２は本体部であり、略円柱状のケース１０を備えている。このケース１０の内部には、内刃４２を回転駆動するモータ、モータに電力を供給する電池、回転駆動等の制御を行う制御部（いずれも不図示）が収容されている。ケース１０の前面には電源のオン・オフ等を行うスイッチボタン１２が設けられ、このスイッチボタンの下方には電池の充電残量等を示すＬＥＤランプからなる表示部１４が設けられている。
【００１４】
図２に示すように、ヘッド部３は、本体部２のケース１０の上部に連結されて保持されるヘッドケース５２と、このヘッドケース５２に上方から被される刃枠５４と、ヘッドケース５２の内底部に収容された駆動機構（不図示）と、刃枠５４に僅かに上下動可能かつ揺動可能に保持された三組の刃ユニット６とを備えている。ここで、各刃ユニット６は、略円盤状の外刃２２と、この外刃２２の下面（内面）に摺接しながら回転する内刃４２とを備えている。また、三組の刃ユニット６は平面視で、三角形となるように配設されている。なお、本実施形態は、前述の通り、刃ユニット６を三組備える場合の例であるが、刃ユニットが三組以外の場合においても基本的な構成は同様に考えればよい。
【００１５】
ここで、外刃２２は、髭進入口となる複数の孔２７が軸方向（すなわち内刃の回転軸の軸方向と同方向）に貫通して形成され、この髭進入口２７に入った髭を内刃４２がカットする構成である。すなわち、外刃２２は、上面２２ａが使用者の肌に接する髭剃り面となり、髭進入口２７が上面２２ａに開口する構成となる。一例として、上面２２ａは環状の平面すなわち環状髭剃り面として形成されている。また、外刃２２は周縁が下方に折曲された形状を有しており、この周縁には外刃リング２４が嵌め合わされている。なお、この外刃リング２４の内周にはストッパリング２６が嵌め込まれて、外刃２２を外刃リング２４に固定している。
【００１６】
一方、内刃４２は、内刃保持台４４に固定され、この内刃保持台４４の下部にモータの出力軸と接続される内刃駆動軸（不図示）の上端が嵌合される凹部が形成されている。この内刃４２は外刃リング２４に嵌め込まれた内刃受け４６により外刃２２側に揺動可能に保持され、これらにより三組の独立した刃ユニット６が形成される。
【００１７】
図３に示すように、本実施形態に係る内刃４２は、金属板の一部を板面４２Ｂに対して起立させた複数の小刃４２Ａを備えて構成される（図の簡素化のため、一部の小刃のみに符号を記入している）。一例として、内刃４２はステンレス鋼からなる金属板を用いて、プレス加工による型抜きおよび折曲を行って、一体構造として形成される。
【００１８】
以上の構成を備えて、刃ユニット６が組み立てられることによって、外刃２２の下面２２ｂに、内刃４２の小刃４２Ａが当接する状態となる（図４参照）。この状態で、内刃４２を矢印方向に回転駆動することによって、髭進入口２７に入った髭Ｘを内刃４２（小刃４２Ａ）の刃先でカットすることができる。
【００１９】
ここで、本実施形態に特徴的な外刃２２の構成について、図面を用いて詳しく説明する。
【００２０】
（第１実施例）
先ず、外刃２２の第１実施例を図５、図６に示す。ここで、図５は外刃２２の平面図であり、図６は外刃２２の正面断面図である。
【００２１】
本実施例においては、図５、図６に示すように、外刃２２の上面となる二つ（二重）の環状髭剃り面２２Ａ、２２Ｂが中心軸２０に対して同心に形成され、それらの間（径方向における中間位置）に環状凹溝２２Ｃが形成されている。一例として、図６に示すように、環状髭剃り面２２Ａと２２Ｂとが中心軸２０に沿って同じ高さとなるように構成している。ただし、この構成に限定されるものではなく、内側の環状髭剃り面２２Ｂが外側の環状髭剃り面２２Ａよりも中心軸２０に沿って高さが高くなるように構成してもよい。
【００２２】
ここで、外刃２２は、ステンレス鋼からなる金属板を用いて、プレス加工による型抜きおよび折曲を行って、一体構造として形成される。ただし、これに限定されるものではなく、環状髭剃り面２２Ａ、２２Ｂが別体に形成されて固定される構成、あるいは、別体に形成されて相互に軸方向に移動可能に連結される構成等、様々な構成を採用し得る。なお、環状髭剃り面に関しても、二つに限定されるものではなく一つあるいは三つ以上有する構成としてもよい。
【００２３】
また、環状髭剃り面２２Ａ、２２Ｂには、複数の髭進入口が形成されている。本実施例においては、当該髭進入口として、平面視長孔状の髭進入口２７および平面視丸孔状の髭進入口２８を備えている。ここで、「丸孔状」とは、真円形には限定されず、楕円形、長円形等の他の円形も含まれる趣旨である。なお、複数の髭進入口として、長孔状の髭進入口２７のみを有する構成としてもよい。
【００２４】
本実施例に係る外刃２２は、環状髭剃り面２２Ａ、２２Ｂの所定の周方向領域において、周方向間隔を変えて（すなわち、隣接する髭進入口同士の周方向間隔が一定ではない配置となるように）髭進入口が並設されている。ここで、周方向間隔を変えて並設する構成の一例として、外周の環状髭剃り面２２Ａに設けられる複数の髭進入口（ここでは長孔状の髭進入口２７）が、矢印Ａで示す周方向領域において、同矢印Ａの方向に向かって、隣接する髭進入口同士の周方向間隔が徐々に拡大するように配設されている。また、内周の環状髭剃り面２２Ｂに設けられる複数の髭進入口（ここでは長孔状の髭進入口２７）が、矢印Ｂで示す周方向領域において、同矢印Ｂの方向に向かって、隣接する髭進入口同士の周方向間隔が徐々に拡大するように配設されている。
【００２５】
なお、所定の周方向領域において周方向間隔を変えて複数の髭進入口を並設する構成の例は、上記に限定されるものではない。すなわち、所定の周方向領域は、１周、１周を等分の領域（２等分、３等分、・・・等）に分割したもの、もしくは、１周を等分でない領域に分割したもの等、様々に設定し得る。また、周方向間隔を変える配置は、間隔を徐々に拡大・縮小する配置（拡大・縮小の変化率は連続的、非連続的、段階的等）、もしくは、複数種類の均等間隔を有する配置等、様々に設定し得る。また、各髭進入口を単位として間隔を変える配置に限定されず、一まとまりの髭進入口群を単位として間隔を変える配置としてもよい。なお、各髭進入口（もしくは一まとまりの髭進入口群）を同一形状に形成する構成によれば、プレス加工が簡易となる。
【００２６】
長孔状の髭進入口２７は髭を捕らえる効果が高い。特に、隣接する髭進入口同士の周方向間隔をできる限り狭くして、髭進入口の無い平面領域である「ブランク部」（通称「ベタ部」ともいう）２９の面積を減少させることによって、長い髭、くせ髭等、様々なタイプの髭を捕らえる性能を向上させることができる。その一方で、ブランク部の面積を減少させるほど、肌に追従して円滑に移動できなくなると共に肌触りが悪くなり、且つ、肌への押し付け力が小さくても深剃りとなって肌を痛めてしまう可能性が高くなるという相反する課題があった。
【００２７】
しかし、本実施例のように、所定の周方向領域において周方向間隔を変えて複数の髭進入口を並設する構成によれば、隣接する髭進入口同士の周方向間隔が相対的に狭い配置を設けることができるため、多様なタイプの髭を捕らえる性能が向上し、剃り残しの防止および剃り味の向上を図ることが可能となる。同時に、隣接する髭進入口同士の周方向間隔が相対的に広い配置を設けることができるため、肌に追従して円滑に移動させることができると共に肌触りを向上させることができ、且つ、深剃りによって肌を痛めてしまう可能性を低減させることが可能となる。したがって、上記の相反する課題の解決が可能となる。
【００２８】
ここで、長孔状の髭進入口２７は、例えば、長辺部が直線状、または、長辺部の全体もしくは一部が曲線状、等のように様々な形状を採用することができる。
【００２９】
一例として、本実施例に係る長孔状の髭進入口２７は、図５に示すように、長辺部の一部（ここでは、長手方向の中間部）が曲線状となるように形成されている。このように、長辺部の一部（もしくは全体）が曲線状となる部分を有する構成によって、特に、長い髭や、くせ髭が当該曲線状の部分に引っ掛かり易くなって孔内（髭進入口内）に導入され易くなるため、それらの髭を捕らえる性能が一段と向上する効果が得られる。なお、本実施例においては、外刃２２をせん断プレス加工によって形成することによって、上記のような複雑な形状の髭進入口の形成を可能としている。ただし、その他の形成方法として、エッチング、ＥＣＭ等も採用し得る。
【００３０】
なお、図５に示すように、環状髭剃り面（一例として２２Ａ）において、適宜、丸孔状の髭進入口２８を併設する構成としてもよい。これによれば、長孔状の髭進入口２７によって奏される髭を捕らえる性能を大きく落とすことなく、ブランク部の面積を増加させることができるため、より一層、肌への追従性および肌触りを向上させることができると共に、深剃りの防止を図ることができる。
【００３１】
（第２実施例）
次に、外刃２２の第２実施例を図７に示す。ここで、図７は外刃２２の平面図である。
本実施例に係る外刃２２は、環状髭剃り面が一つ（一重）の場合の例である。基本的な構成および作用効果は前述の第１実施例と同様であるため、相違点を中心に説明を行う。
【００３２】
本実施例に係る外刃２２は、環状髭剃り面２２Ａの所定の周方向領域において、周方向間隔を変えて（すなわち、隣接する髭進入口同士の周方向間隔が一定ではない配置となるように）髭進入口が並設されている。一例として、環状髭剃り面２２Ａに設けられる複数の髭進入口（ここでは長孔状の髭進入口２７）が、矢印Ｃで示す周方向領域（ここでは、環状髭剃り面の１周の領域）において、同矢印Ｃの方向に向かって、隣接する髭進入口同士の周方向間隔が徐々に拡大するように配設されている。
【００３３】
また、一例として、本実施例に係る長孔状の髭進入口２７は、図７に示すように、長辺部の全体が曲線状となるように形成されている。このような構成によっても、長い髭や、くせ髭が当該曲線状の部分に引っ掛かり易くなって孔内（髭進入口内）に導入され易くなるため、それらの髭を捕らえる性能が一段と向上する効果が得られる。
【００３４】
なお、前述の通り、環状髭剃り面の数、髭進入口の形状、所定の周方向領域の設定、周方向間隔を変える配置、等は上記の例に限定されるものではない。
【００３５】
本実施例に係る外刃２２によっても、前述の第１実施例に係る外刃２２と同様の作用効果が奏される。
【００３６】
（第３実施例）
次に、外刃２２の第３実施例を図８に示す。ここで、図８は外刃２２の平面図である。
本実施例に係る外刃２２は、環状髭剃り面が二つ（二重）の場合の例である。基本的な構成および作用効果は前述の第１実施例と同様であるため、相違点を中心に説明を行う。
【００３７】
本実施例に係る外刃２２は、環状髭剃り面２２Ａ、２２Ｂの所定の周方向領域において、周方向間隔を変えて（すなわち、隣接する髭進入口同士の周方向間隔が一定ではない配置となるように）髭進入口が並設されている。一例として、外周の環状髭剃り面２２Ａに設けられる複数の髭進入口（ここでは長孔状の髭進入口２７）が、矢印Ｄで示す周方向領域（ここでは、環状髭剃り面の１／２の領域）において、領域Ｄ１、Ｄ３における隣接する髭進入口同士の周方向間隔が相対的に広く、領域Ｄ２における隣接する髭進入口同士の周方向間隔が相対的に狭くなるように、周方向間隔を変えて配設されている。また、内周の環状髭剃り面２２Ｂに設けられる複数の髭進入口（ここでは長孔状の髭進入口２７）が、矢印Ｄで示す周方向領域（ここでは、環状髭剃り面の１／２の領域）において、領域Ｄ１、Ｄ３における隣接する髭進入口同士の周方向間隔が相対的に広く、領域Ｄ２における隣接する髭進入口同士の周方向間隔が相対的に狭くなるように、周方向間隔を変えて配設されている。なお、本実施例では、外周の環状髭剃り面２２Ａと内周の環状髭剃り面２２Ｂとで、Ｄ１〜Ｄ３の領域を同じ角度範囲に設定しているが、これに限定されず、それぞれにおいて異なる角度範囲に設定してもよい。
【００３８】
なお、前述の通り、環状髭剃り面の数、髭進入口の形状、所定の周方向領域の設定、周方向間隔を変える配置、等は上記の例に限定されるものではない。
【００３９】
本実施例に係る外刃２２によっても、前述の第１実施例に係る外刃２２と同様の作用効果が奏される。
【００４０】
（第４実施例）
次に、外刃２２の第４実施例を図９に示す。ここで、図９は外刃２２の平面図である。
本実施例に係る外刃２２は、環状髭剃り面が二つ（二重）の場合の例である。基本的な構成および作用効果は前述の第１実施例と同様であるため、相違点を中心に説明を行う。
【００４１】
本実施例に係る外刃２２は、環状髭剃り面２２Ａ、２２Ｂの所定の周方向領域において、周方向間隔を変えて（すなわち、隣接する髭進入口同士の周方向間隔が一定ではない配置となるように）髭進入口が並設されている構成は前述の第１実施例と同様である。
【００４２】
したがって、本実施例に係る外刃２２によっても、前述の第１実施例に係る外刃２２と同様の作用効果が奏される。
【００４３】
上記に加えて、本実施例に特徴的な構成として、外周の環状髭剃り面２２Ａに設けられる複数の髭進入口（ここでは長孔状の髭進入口２７）が、矢印Ｅで示す周方向領域において、環状髭剃り面２２Ａの径方向両端まで開口する形状の髭進入口２７ａと、環状髭剃り面２２Ａの径方向両端まで開口しない形状（一例として、開口が外方の一端まで到達し、且つ、内方の他端までは到達していない形状）の髭進入口２７ｂとが周方向に交互に配設されている。また、内周の環状髭剃り面２２Ｂに設けられる複数の髭進入口（ここでは長孔状の髭進入口２７）が、矢印Ｆで示す周方向領域において、環状髭剃り面２２Ｂの径方向両端まで開口する形状の髭進入口２７ａと、環状髭剃り面２２Ａの径方向両端まで開口しない形状（一例として、開口が外方の一端および内方の他端の両方に到達していない形状）の髭進入口２７ｃとが周方向に交互に配設されている。
【００４４】
これによれば、特に両端まで開口しない髭進入口２７ｂ（もしくは２７ｃ）を有することによって、ブランク部２９の面積を増加させることができるため、より一層、肌への追従性および肌触りを向上させることができると共に、深剃りの防止を図ることができる。このとき、両端まで開口する形状の髭進入口２７ａと両端まで開口しない髭進入口２７ｂ（もしくは２７ｃ）とを周方向に交互に配置することによって、くせ髭を捕らえる性能が大きく低下することもない。
【００４５】
なお、前述の通り、環状髭剃り面の数、髭進入口の形状、所定の周方向領域の設定、周方向間隔を変える配置、等は上記の例に限定されるものではない。
【００４６】
（第５実施例）
次に、外刃２２の第５実施例を図１０に示す。ここで、図１０は外刃２２の平面図である。
本実施例に係る外刃２２は、環状髭剃り面が二つ（二重）の場合の例である。基本的な構成および作用効果は前述の第１実施例と同様であるため、相違点を中心に説明を行う。
【００４７】
本実施例に係る外刃２２は、環状髭剃り面２２Ａ、２２Ｂの所定の周方向領域において、周方向間隔が一定（すなわち、隣接する髭進入口同士の周方向間隔が一定）で、且つ、開口密度を変えて（すなわち、単位面積当たりの開口面積（密度）が変化するように）髭進入口が並設されている。ここで、周方向間隔が一定で且つ開口密度を変えて並設する構成の一例として、外周の環状髭剃り面２２Ａに設けられる複数の髭進入口（ここでは長孔状の髭進入口２７）が、矢印Ｇで示す周方向領域（ここでは、環状髭剃り面の１／９の領域）において、同矢印Ｇの方向に向かって、隣接する髭進入口同士の周方向間隔が一定で開口密度が徐々に減少するように配設されている。また、内周の環状髭剃り面２２Ｂに設けられる複数の髭進入口（ここでは長孔状の髭進入口２７）が、矢印Ｇで示す周方向領域において、同矢印Ｇの方向に向かって、隣接する髭進入口同士の周方向間隔が一定で開口密度が徐々に減少するように配設されている。
【００４８】
これによれば、開口密度が相対的に大きく並設された髭進入口によって、多様なタイプの髭を捕らえる性能が向上し、剃り残しの防止および剃り味の向上を図ることが可能となる。同時に、開口密度が相対的に小さく並設された髭進入口によって、肌に追従して円滑に移動させることができると共に肌触りを向上させることができ、且つ、深剃りによって肌を痛めてしまう可能性を低減させることが可能となる。
【００４９】
ここで、長孔状の髭進入口２７は、例えば、長辺部が直線状、または、長辺部の全体もしくは一部が曲線状、等のように様々な形状を採用することができる。また、適宜、丸孔状の髭進入口２８を併設する構成としてもよい。
【００５０】
なお、前述の通り、環状髭剃り面の数、髭進入口の形状、所定の周方向領域の設定、開口密度の変化率、等は上記の例に限定されるものではない。
【００５１】
以上、説明した通り、本発明に係るロータリー式電気かみそりによれば、外刃が肌に追従して円滑に移動できると共に、どのような髭も確実に捕らえることができ、且つ、深剃りとなって皮膚を傷めてしまうことが防止できる。このように、相反する課題の解決が可能となる。
【００５２】
なお、本発明は、以上説明した実施例に限定されることなく、本発明を逸脱しない範囲において種々変更が可能である。特に、外刃と内刃との組合せ（刃ユニット）の数、環状髭剃り面の数、髭進入口の形状、所定の周方向領域の設定、周方向間隔を変える配置、開口密度を変える配置、等は上記に限定されるものではない。
【符号の説明】
【００５３】
１  ロータリー式電気かみそり
２  本体部
３  ヘッド部
６  刃ユニット
１０  ケース
１２  スイッチボタン
２２  外刃
２２ａ  外刃の上面
２２ｂ  外刃の下面
２２Ａ、２２Ｂ  環状髭剃り面
２４  外刃リング
２６  ストッパリング
２７  髭進入口（長孔状）
２８  髭進入口（丸孔状）
２９  ブランク部
４２  内刃
４２Ａ  小刃
４２Ｂ  金属板の板面
４４  内刃保持台
４６  内刃受け
５２  ヘッドケース
５４  刃枠
Ｘ  髭
【図１】
2016059632.tif 000003
【図２】
2016059632.tif 000004
【図３】
2016059632.tif 000005
【図４】
2016059632.tif 000006
【図５】
2016059632.tif 000007
【図６】
2016059632.tif 000008
【図７】
2016059632.tif 000009
【図８】
2016059632.tif 000010
【図９】
2016059632.tif 000011
【図１０】
2016059632.tif 000012